(57)【要約】【課題】Ｗｅｂページ等の検索がより容易に行える環境を実現できる情報検索装置を提供する。【解決手段】Ｗｅｂページ等の検索を行うための情報検索装置を、検索した各検索対象（Ｗｅｂページ等）の識別情報（“ＡＡＡ”，“www.aaa.com/…”等）を、各検索対象に関する幾つかの特徴語（“ああ”，“いい”，“うう”等）と共に、検索結果として出力する装置として構成しておく。【選択図】図６
2009157865.tif 000002
【特許請求の範囲】
【請求項１】
複数の検索対象情報の中から、指定された検索語を含む検索対象情報を検索する検索手段と、
前記検索手段により検索された各検索対象情報の識別情報を、各検索対象情報の，所定アルゴリズムにより決定された１つ以上の特徴語と共に出力する検索結果出力手段と
を備えることを特徴とする情報検索装置。
【請求項２】
前記複数の検索対象情報のそれぞれについて、その検索対象情報の識別情報と，その検索対象情報についての，前記所定アルゴリズムにより決定された複数の特徴語とを記憶した検索用データベースを、さらに、備え、
前記検索特定手段が、
前記検索語が特徴語として記憶されている検索対象情報の識別情報を前記検索用データベースの中から検索する手段であり、
前記検索結果出力手段が、
前記検索手段により検索された識別情報毎に、その識別情報と，前記検索用データベース内の，その識別情報と同じ検索対象情報についての，前記検索語とは異なる１つ以上の特徴語とを含む単位検索結果情報を出力する手段である
ことを特徴とする請求項１記載の情報検索装置。
【請求項３】
前記検索用データベースが、
各特徴語の各検索対象情報中での相対的な出現頻度を示す数値情報であるスコアも、記憶したデータベースであり、
前記検索結果出力手段が、
各単位検索結果情報が、前記検索用データベース内の，対応する検索対象情報に関する，前記検索語と一致している特徴語についての前記スコアの降順で示される検索結果リストを出力した後、特徴語の組み合わせが指定された場合には、特徴語の組み合わせが指定されたものと一致している各単位検索結果情報がその先頭部分に示される検索結果リストを出力する手段である
ことを特徴とする請求項２記載の情報検索装置。
【請求項４】
前記検索用データベースが、
各特徴語の各検索対象情報中での相対的な出現頻度を示す数値情報であるスコアも、記憶したデータベースであり、
前記検索結果出力手段が、
各単位検索結果情報が、前記検索用データベース内の，対応する検索対象情報に関する，前記検索語と一致している特徴語についての前記スコアの降順で示される検索結果リストを出力した後、特徴語の組み合わせ及び各特徴語のスコアが指定された場合には、特徴語の組み合わせが指定されたものと一致している各単位検索結果情報が，各特徴語のスコアが指定されている各特徴語のスコアと類似しているものから，順々に，その先頭部分に示される検索結果リストを出力する手段である
ことを特徴とする請求項２記載の情報検索装置。
【請求項５】
前記検索用データベースが、
各特徴語の各検索対象情報中での相対的な出現頻度を示す数値情報であるスコアも、記憶したデータベースであり、
前記検索結果出力手段が、
各単位検索結果情報が、前記検索用データベース内の，対応する検索対象情報に関する，前記検索語と一致している特徴語についての前記スコアの降順で示されるＷｅｂページであって、特徴語の組み合わせを指定する操作がなされた場合には、特徴語の組み合わせが指定されたものと一致している各単位検索結果情報がその先頭部分に示されることになるＷｅｂページを，Ｗｅｂブラウザに表示させるためのデータを出力する手段である
ことを特徴とする請求項２記載の情報検索装置。
【請求項６】
前記検索用データベースが、
各特徴語の各検索対象情報中での相対的な出現頻度を示す数値情報であるスコアも、記憶したデータベースであり、
前記検索結果出力手段が、
各単位検索結果情報が、前記検索用データベース内の，対応する検索対象情報に関する，前記検索語と一致している特徴語についての前記スコアの降順で示されるＷｅｂページであって、特徴語の組み合わせ及び各特徴語のスコアを指定する操作がなされた場合には、特徴語の組み合わせが指定されたものと一致している各単位検索結果情報が，各特徴語のスコアが指定されている各特徴語のスコアと類似しているものから，順々に，その先頭部分に示されることになるＷｅｂページを，Ｗｅｂブラウザに表示させるためのデータを出力する手段である
ことを特徴とする請求項２記載の情報検索装置。
【請求項７】
コンピュータを、
複数の検索対象情報の中から、指定された検索語を含む検索対象情報を検索する検索手段と、
前記検索手段により検索された各検索対象情報の識別情報を、各検索対象情報の，所定アルゴリズムにより決定された１つ以上の特徴語と共に出力する検索結果出力手段と
を備える装置として動作させることを特徴とする情報検索プログラム。
【請求項８】
コンピュータに、
複数の検索対象情報の中から、指定された検索語を含む検索対象情報を検索する検索ステップと、
前記検索手段により検索された各検索対象情報の識別情報を、各検索対象情報の，所定アルゴリズムにより決定された１つ以上の特徴語と共に出力する検索結果出力ステップと
を実行させることを特徴とする情報検索方法。
【発明の詳細な説明】
【技術分野】
【０００１】
本発明は、複数の検索対象情報（Ｗｅｂページ等）の中から、検索対象情報を検索するための情報検索装置，情報検索プログラム及び情報検索方法に関する。
【背景技術】
【０００２】
周知のように、インターネット上には、Ｗｅｂページを検索できるさまざまな検索サイトが存在しているが、いずれの検索サイトも、Ｗｅｂページのタイトル，ＵＲＬ及びスニペット（Ｗｅｂページから抽出したテキスト）が，検索されたＷｅｂページ毎に示されるＷｅｂページを検索結果として出力するもの（例えば特許文献１参照）となっている。
【０００３】
このため、検索サイトを利用したユーザは、各Ｗｅｂページに関するスニペットを読んで，実際に見てみるＷｅｂページを決定しているのであるが、スニペットは、比較的に単純なアルゴリズムで抽出した情報であるため、スニペットという比較的に長い文を読んで選んだＷｅｂページに自分が希望する情報が載っていないといったことがしばしば生じているのが現状である。
【０００４】
【特許文献１】特開２００４−２３４２９０号公報
【発明の開示】
【発明が解決しようとする課題】
【０００５】
そこで、本発明の課題は、Ｗｅｂページ等の検索がより容易に行える環境を実現できる情報検索装置，情報検索プログラム及び情報検索方法を提供することにある。
【課題を解決するための手段】
【０００６】
上記課題を解決するために、本発明の情報検索装置は、複数の検索対象情報の中から、指定された検索語を含む検索対象情報を検索する検索手段と、検索手段により検索された各検索対象情報の識別情報を、各検索対象情報の，所定アルゴリズムにより決定された１つ以上の特徴語と共に出力する検索結果出力手段とを備える。
【０００７】
すなわち、本発明の情報検索装置は、検索した各検索対象情報（Ｗｅｂページ等）の識別情報（タイトル等）を，複数の特徴語と共に、検索結果として出力する構成を有している。そして、複数の特徴語（１つ以上の特徴語と検索語）が分かれば、各検索対象情報の内容を推定できるため、この情報検索装置を用いておけば、より簡単に（スニペットを読む必要がない形で），検索対象情報の検索を行える環境を実現できることになる。
【０００８】
本発明の情報検索装置を実現する際には、検索を短時間で行えるようにするために、複数の検索対象情報のそれぞれについて、その検索対象情報の識別情報と，その検索対象情報についての，所定アルゴリズムにより決定された複数の特徴語とを記憶した検索用データベースを付加しておくと共に、検索特定手段として、検索語が特徴語として記憶されている検索対象情報の識別情報を検索用データベースの中から検索する手段を採用し、検索結果出力手段として、検索手段により検索された識別情報毎に、その識別情報と，検索用データベース内の，その識別情報と同じ検索対象情報についての，検索語とは異なる１つ以上の特徴語とを含む単位検索結果情報を出力する手段を採用しておくことが出来る。
【０００９】
また、上記構成を採用する場合には、いわゆる絞り込み検索が容易に行えるようにするために、検索用データベースを、各特徴語の各検索対象情報中での相対的な出現頻度を示す数値情報であるスコアも、記憶したデータベースとしておくと共に、検索結果出力手段として、『各単位検索結果情報が、検索用データベース内の，対応する検索対象情報に関する，検索語と一致している特徴語についてのスコアの降順で示される検索結果リストを出力した後、特徴語の組み合わせが指定された場合には、特徴語の組み合わせが指定されたものと一致している各単位検索結果情報がその先頭部分に示される検索結果リストを出力する手段』や、『各単位検索結果情報が、検索用データベース内の，対応する検索対象情報に関する，検索語と一致している特徴語についてのスコアの降順で示される検索結果リストを出力した後、特徴語の組み合わせ及び各特徴語のスコアが指定された場合には、特徴語の組み合わせが指定されたものと一致している各単位検索結果情報が，各特徴語のスコアが指定されている各特徴語のスコアと類似しているものから，順々に，その先頭部分に示される検索結果リストを出力する手段』を採用しておくことが出来る。
【００１０】
また、検索結果出力手段として、『各単位検索結果情報が、検索用データベース内の，対応する検索対象情報に関する，検索語と一致している特徴語についてのスコアの降順で示されるＷｅｂページであって、特徴語の組み合わせを指定する操作がなされた場合には、特徴語の組み合わせが指定されたものと一致している各単位検索結果情報がその先頭部分に示されることになるＷｅｂページを，Ｗｅｂブラウザに表示させるためのデータを出力する手段』や、『各単位検索結果情報が、検索用データベース内の，対応する検索対象情報に関する，検索語と一致している特徴語についてのスコアの降順で示されるＷｅｂページであって、特徴語の組み合わせ及び各特徴語のスコアを指定する操作がなされた場合には、特徴語の組み合わせが指定されたものと一致している各単位検索結果情報が，各特徴語のスコアが指定されている各特徴語のスコアと類似しているものから，順々に，その先頭部分に示されることになるＷｅｂページを，Ｗｅｂブラウザに表示させるためのデータを出力する手段』を採用しておくことも出来る。
【００１１】
そして、本発明の情報検索プログラムは、『コンピュータを、複数の検索対象情報の中から、指定された検索語を含む検索対象情報を検索する検索手段と、検索手段により検索された各検索対象情報の識別情報を、各検索対象情報の，所定アルゴリズムにより決定された１つ以上の特徴語と共に出力する検索結果出力手段とを備える装置として動作させる』ものとなっており、本発明の情報検索方法は、『コンピュータに、複数の検索対象情報の中から、指定された検索語を含む検索対象情報を検索する検索ステップと、検索手段により検索された各検索対象情報の識別情報を、各検索対象情報の，所定アルゴリズムにより決定された１つ以上の特徴語と共に出力する検索結果出力ステップとを実行させる』ものとなっている。従って、本発明の情報検索プログラム，情報検索方法を用いても、より簡単に（スニペットを読む必要がない形で），検索対象情報の検索を行える環境を実現できることになる。
【発明の効果】
【００１２】
本発明を用いれば、より簡単に（スニペットを読む必要がない形で），検索対象情報の検索を行える環境を実現できることになる。
【発明を実施するための最良の形態】
【００１３】
以下、本発明を実施するための最良の形態を、図面を参照して詳細に説明する。
【００１４】
まず、図１を用いて、本発明の一実施形態に係る情報検索装置１０の概要を説明する。
【００１５】
図１に模式的に示してあるように、本実施形態に係る情報検索装置１０は、検索語を含む検索要求をインターネットを介して送信してきたユーザＰＣ（Ｗｅｂブラウザ）に，その検索要求中の検索語が使用されている各Ｗｅｂページのタイトル等が示される検索結果ページを提供する（Ｗｅｂページである検索結果ページのソースデータを送信する）装置である。
【００１６】
すなわち、情報検索装置１０は、既存の検索サーバ（検索サイト）と同様に、各ユーザＰＣのユーザが，必要とする情報が記載されているＷｅｂページを検索するためにアクセスする装置となっている。ただし、情報検索装置１０は、各種Ｗｅｂページの検索をより容易に行えるようにするために、検索結果ページとして、従来の検索サーバとは異なる構成のものを提供するように構成した装置となっている。
【００１７】
以上のことを前提に、以下、本実施形態に係る情報検索装置１０の構成及び動作をさらに具体的に説明する。なお、本情報検索装置１０は、コンピュータ（より具体的には、１台のコンピュータとして機能する複数台のコンピュータ）に、各種のプログラムやデータをインストールすることによって構成した装置となっている。このため、以下では、情報検索装置１０のソフトウェア的な構成及び動作のみを説明することにする。
【００１８】
図２に、本実施形態に係る情報検索装置１０の機能ブロック図を示す。
図示してあるように、情報検索装置１０は、Ｗｅｂページプロフィールデータベース（図では、ＷｅｂページプロフィールＤＢ）１１，検索要求応答部１２及び情報収集部１３を、備えている。
【００１９】
Ｗｅｂページプロフィールデータベース１１（以下、ＤＢ１１とも表記する）は、図３に模式的に示したように、各種ＷｅｂページのＵＲＬ及びタイトルを，単語１〜単語ｍ，スコア１〜スコアｍ，チェック日時等（各情報の意味，用途については後述）と共に記憶可能なデータベースである。以下、このＤＢ１１に記憶される，１つのＷｅｂページに関する情報群（ＵＲＬ，タイトル，単語１〜単語ｍ等からなる情報）のことを、プロフィール情報と表記する。
【００２０】
情報収集部１３は、ＤＢ１１へのプロフィール情報の追加や、ＤＢ１１内のプロフィール情報の更新／削除を行うユニット（機能ブロック）である。この情報収集部１３は、情報検索装置１０が起動されると，以下のような動作を開始するユニットとなっている。
【００２１】
情報検索装置１０が起動されたため動作を開始した情報収集部１３は、まず、内容が変更されているＷｅｂページ，内容が変更されていないＷｅｂページ，公開が開始されたＷｅｂページ，或いは，公開が停止されたＷｅｂページを、一般的なクローラー（検索ロボット）と同様の手順で探索する探索処理を開始する。なお、内容が変更されているＷｅｂページとは、その更新日時が、ＤＢ１１内の，当該Ｗｅｂページに関するプロフィール情報中のチェック日時（詳細は後述）以降となっているＷｅｂページのことであり、内容が変更されていないＷｅｂページとは、その更新日時が、ＤＢ１１内の，当該Ｗｅｂページに関するプロフィール情報中のチェック日時以前となっているＷｅｂページのことである。また、公開が開始されたＷｅｂページとは、それに関するプロフィール情報がＤＢ１１内に存在していないＷｅｂページ（プロフィール情報がＤＢ１１内に存在するＷｅｂページとリンクされているＷｅｂページ，起点として指定されているＷｅｂページ）のことであり、公開が停止されたＷｅｂページとは、いわゆる“リンク切れ”となっているＷｅｂページのことである。
【００２２】
そして、情報収集部１３は、内容が変更されていないＷｅｂページを見出した場合には、そのＷｅｂページに関するＤＢ１１内のチェック日時を現在日時に変更してから、探索処理を続行する。また、情報収集部１３は、公開が停止されたＷｅｂページを見出した場合には、そのＷｅｂページに関するプロフィール情報をＤＢ１１から消去した後に、探索処理を続行する。
【００２３】
さらに、情報収集部１３は、内容が変更された／公開が開始されたＷｅｂページ（以下、処理対象Ｗｅｂページと表記する）を見出した場合には、図４に示した手順の情報更新処理を行ってから、探索処理を続行する。
【００２４】
すなわち、処理対象Ｗｅｂページ（内容が変更された／公開が開始されたＷｅｂページ）を見出した情報収集部１３は、まず、その処理対象Ｗｅｂページのソースデータを取得する（ステップＳ１０１）。次いで、情報収集部１３は、取得したソースデータに対して，形態素解析を行うことにより、処理対象Ｗｅｂページで使用されている単語（本実施形態では、名詞）と、各単語の出現数とを特定する（ステップＳ１０２）。
【００２５】
その後、情報収集部１３は、特定した各単語に関するスコアを算出する処理（ステップＳ１０３）を行う。ここで、或る単語に関するスコアとは、当該単語の重要度を示す数値情報（当該単語が，重要なもの／特徴的なものであるほど大きな値をとる数値情報）のことである。なお、本実施形態に係る情報収集部１３は、各単語に関するスコアとして、各単語のＴＦ−ＩＤＦ値（或る単語の出現数に、当該単語が使用されているＷｅｂページの割合の逆数の対数をかけた値）を算出するものとなっている。
【００２６】
ステップＳ１０３の処理を終えた情報収集部１３は、ＷｅｂページプロフィールＤＢ更新処理（ステップＳ１０４）を開始する。そして、情報収集部１３は、処理対象Ｗｅｂページが、内容が変更されたＷｅｂページ（プロフィール情報がＤＢ１１内に存在するＷｅｂページ）であった場合には、ＤＢ１１内の，そのＷｅｂページに関するプロフィール情報中のスコアＸ，単語Ｘ，（Ｘ＝１〜ｍ）を，ステップＳ１０３の処理で算出されたＸ番目に大きなスコア，当該スコアが算出された単語に変更すると共に、当該プロフィール情報中のチェック日時を現在日時に変更する処理を行う。
【００２７】
また、情報収集部１３は、処理対象Ｗｅｂページが、公開が開始されたＷｅｂページ（プロフィール情報がＤＢ１１内に存在しないＷｅｂページ）であった場合には、チェック日時，ＵＲＬ，タイトルとして、それぞれ，現在日時，そのＷｅｂページのＵＲＬ，タイトルを設定し、スコアＸ，単語Ｘ，（Ｘ＝１〜ｍ）として，ステップＳ１０３の処理で算出したＸ番目に大きなスコア，当該スコアが算出された単語を設定したプロフィール情報をＤＢ１１に追加する処理を行う。
【００２８】
そして、情報収集部１３は、この情報更新処理（図４の処理）を終了して、探索処理を続行する。
【００２９】
検索要求応答部１２（図２参照）は、検索語を含む所定形式の検索要求を受信したときに、その検索要求中の検索語が使用されている各Ｗｅｂページのタイトル等が示される検索結果ページのソースデータを生成して，その検索要求送信元ユーザＰＣに返送するユニット（機能ブロック）である。
【００３０】
この検索要求応答部１２が受信可能な検索要求としては、幾つかの検索語のみを含む第１種検索要求と，幾つかの検索語をスコア指定値（詳細は後述）と共に含む第２種検索要求とが存在している。
【００３１】
まず、図５を用いて、１つの検索語のみを含む第１種検索要求を受信した場合における検索要求応答部１２の動作を、説明する。
【００３２】
この場合、検索要求応答部１２は、受信した第１種検索要求に含まれている検索語が，単語１〜単語ｎのいずれか（図では、“単語”）として記憶されているプロフィール情報をＤＢ１１から読み出す処理（ステップＳ２０１）を最初に行う。次いで、検索要求応答部１２は、読み出したプロフィール情報群から、それらを，検索語に関するスコアの降順でソートした情報であるスコア順リストを生成する（ステップＳ２０２）。
【００３３】
その後、検索要求応答部１２は、生成したスコア順リスト内の各種情報に基づき、検索結果ページデータ（詳細は後述）を生成する処理（ステップＳ２０３）を行う。そして、検索要求応答部１２は、生成した検索結果ページデータを，検索要求の送信元ユーザＰＣに送信（ステップＳ２０４）してから、第１種検索要求に対する応答処理（図５の処理）を終了する。
【００３４】
ステップＳ２０３の処理で生成される検索結果ページデータは、検索結果ページを検索要求の送信元ユーザＰＣに表示させるための，scriptを含むＨＴＭＬデータである。このため、検索結果ページデータの具体的な内容（ステップＳ２０３の具体的な処理手順）を説明する代わりに、検索結果ページデータを受信したユーザＰＣ（Ｗｅｂブラウザ）が表示する検索結果ページの構成及び機能を説明することにする。
【００３５】
検索結果ページは、図６に示したような構成のＷｅｂページである。すなわち、検索結果ページは、検索語表示・入力欄２１及び検索ボタン２２と、複数の単位検索結果情報２５とが示されるＷｅｂページとなっている。
【００３６】
この検索結果ページ上の検索語表示・入力欄２１は、検索要求に含まれていた検索語（ユーザが、Ｗｅｂページ検索を行うために入力した検索語）が初期値として表示される，文字入力が可能なアイテムである。検索ボタン２２は、それを押下（クリック）すると、検索結果ページを表示しているユーザＰＣ（Ｗｅｂブラウザ）が，検索語表示・入力欄２１に入力されている幾つかの検索語を含む第１種検索要求を送信することになるアイテムである。
【００３７】
各単位検索結果情報２５は、上記したスコア順リストに含まれる各プロフィール情報中のタイトル（“ＡＡＡ”等），ＵＲＬ（“www.aaa.com/…”等）及び単語１〜単語３（“ああ”，“いい”等）と、スコア１〜スコア３に対応する長さを有する３つのバー状図形とを、図示してあるような形で含む情報である。
【００３８】
そして、検索結果ページは、スコア順リスト内でプロフィール情報の順番通りに、各プロフィール情報に対応する内容の単位検索結果情報２５が示されるＷｅｂページとなっている。なお、検索結果ページは、検索語と一致する単語に関するバー状図形が、他の単語に関するバー状図形とは異なる表示形態（本実施形態では、異なる色）で示されるＷｅｂページであると共に、各タイトルがいわゆるリンクアンカーとなっているＷｅｂページとなっている。
【００３９】
さらに、検索結果ページは、幾つかのバー状図形の長さをマウス操作により変更可能なＷｅｂページであると共に、バー状図形の長さを変更すると、図７，図８に示したような形で、再検索ボタン２６が表示されるＷｅｂページとなっている。すなわち、検索結果ページは、最初の，バー状図形の長さ変更時には、長さを変更したバー状図形の右下部分に再検索ボタン２６が表示され（図７）、二度目以降の，バー状図形の長さ変更時には、長さを変更したバー状図形の右下部分に，再検索ボタン２６の表示位置が変更される（図８）Ｗｅｂページとなっている。
【００４０】
上記のような操作により検索結果ページ上に表示される再検索ボタン２６は、それを押下（クリック）すると、検索結果ページを表示しているユーザＰＣが，バー状図形の長さが変更された単語毎に、その単語自体，変更後のバー状図形の長さを，それぞれ，検索語，スコア指定値として含む第２種検索要求を送信することになるアイテムである。なお、第２種検索要求は、バー状図形の長さが変更された各単語に関する情報（検索語及びスコア指定値）が，長さの変更順どおりに含まれる要求となっている。
【００４１】
説明の便宜上、複数の検索語を含む第１種検索要求を受信した場合における検索要求応答部１２の動作の説明は後述することとし、ここで、第２種検索要求を受信した場合における検索要求応答部１２の動作の説明しておくことにする。
【００４２】
検索要求応答部１２は、第２種検索要求を受信した場合，図９に示した手順の処理を行うユニットとして構成（プログラミング）されている。
【００４３】
すなわち、第２種検索要求を受信した検索要求応答部１２は、まず、受信した第２種検索要求に含まれている第１〜第ｎ検索語が，単語１〜単語ｎのいずれか（図では、“単語”）として記憶されているプロフィール情報を、ＤＢ１１から読み出す処理（ステップＳ３０１）を行う。なお、第ｘ検索語（ｘ＝１〜ｎ）とは、第２種検索要求に含まれるｘ番目の検索語（ｘ番目に、バー状図形の長さが変更された単語）のことである。
【００４４】
次いで、検索要求応答部１２は、読み出したプロフィール情報群に対して、第１〜第ｎ検索語に関するスコアを，それぞれ，第１〜第ｎソートキーとした降順ソートを行うことにより、スコア順リストを生成する（ステップＳ３０２）。すなわち、検索要求応答部１２は、プロフィール情報が，第１検索語に関するスコアの降順で並んだスコア順リストであって、第ｚ検索語（ｚ＝１〜ｎ−１）に関するスコアまでが等しいプロフィール情報群は，第ｚ＋１検索語に関するスコアの降順で並んでいるスコア順リストを生成する。
【００４５】
その後、検索要求応答部１２は、生成したスコア順リストの中から、各検索語のスコアが最もスコア指定値に近いプロフィール情報を検索する処理（ステップＳ３０３）と、生成したスコア順リスト内の，検索したプロフィール情報以降の各プロフィール情報に基づき、検索結果ページデータを生成する処理（ステップＳ３０４）とを行う。
【００４６】
ステップＳ３０４の処理で生成される検索結果ページデータは、ステップＳ２０３の処理で生成される検索結果ページデータと同様のものである。ただし、ステップＳ３０４の処理で生成される検索結果ページデータは、図１０に示したような検索結果ページ，すなわち、第２種検索要求中に含まれていた検索語毎に、それをクリックすることにより、その検索語による再検索が行われることになるアイテム（図１０における点線枠２８内に示されている２アイテム）も示される検索結果ページをＷｅｂブラウザに表示させるものとなっている。
【００４７】
複数の検索語を含む第１種検索要求を受信した際に，検索要求応答部１２が実行する処理も、図８の処理と同様のものである。ただし、複数の検索語を含む第１種検索要求を受信した際に検索要求応答部１２が実行する処理は、ステップＳ３０３の処理が行われない（スコア順リスト内の全てのプロフィール情報を用いて、検索結果ページデータが生成される）ものとなっている。
【００４８】
以上、詳細に説明したように、本実施形態に係る情報検索装置１０は、検索した各Ｗｅｂページのタイトル等が，複数の特徴語（ＴＦ−ＩＤＦ値から求められた単語）と共に示される検索結果ページを提供する装置となっている。そして、複数の特徴語が分かれば、各Ｗｅｂページの内容を推定できるため、本実施形態に係る情報検索装置１０を用いておけば、より簡単に（スニペットを読む必要がない形で）Ｗｅｂページの検索を行えるネット環境を実現できることになる。
【００４９】
《変形形態》
上記した情報検索装置１０は、各種の変形を行うことが出来る。例えば、情報検索装置１０を、コンピュータ内の文書ファイル（Ｗｅｂページ以外の情報）の検索を行うための装置に変形することが出来る。また、情報検索装置１０は、予め，各種検索対象に関する単語，スコアを求めておかない装置（検索が指示された際に、各検索対象に対する形態素解析等を行う装置）に変形することも出来る。ただし、検索対象の数が多い場合／検索を高速に行いたい場合には、上記構成を採用しておくことが望ましい。
【００５０】
また、情報検索装置１０を、上記したものとは異なる手順でスコアを算出する装置（スコアの算出アルゴリズムが異なる装置）に変形しても良いことや、各部（検索結果ページ，Ｗｅｂページプロフィールデータベース１１等）の具体的な構成を上記したものと異ならせておいても良いことなどは、当然のことである。
【図面の簡単な説明】
【００５１】
【図１】本発明の一実施形態に係る情報検索装置の使用形態及び用途の説明図。
【図２】実施形態に係る情報検索装置の機能ブロック図。
【図３】実施形態に係る情報検索装置が備えるＷｅｂページプロフィールデータベースの説明図。
【図４】実施形態に係る情報検索装置内の情報収集部の動作手順を示す流れ図。
【図５】実施形態に係る情報検索装置内の検索要求応答部の動作手順を示す流れ図。
【図６】実施形態に係る情報検索装置が提供する検索結果ページの構成の説明図。
【図７】実施形態に係る情報検索装置が提供する検索結果ページの機能の説明図。
【図８】実施形態に係る情報検索装置が提供する検索結果ページの機能の説明図。
【図９】実施形態に係る情報検索装置内の検索要求応答部の動作手順を示す流れ図。
【図１０】実施形態に係る情報検索装置が提供する検索結果ページの構成の説明図。
【符号の説明】
【００５２】
１０  情報検索装置
１１  Ｗｅｂページプロフィールデータベース
１２  検索要求応答部
１３  情報収集部
【図１】
2009157865.tif 000003
【図２】
2009157865.tif 000004
【図３】
2009157865.tif 000005
【図４】
2009157865.tif 000006
【図５】
2009157865.tif 000007
【図６】
2009157865.tif 000008
【図７】
2009157865.tif 000009
【図８】
2009157865.tif 000010
【図９】
2009157865.tif 000011
【図１０】
2009157865.tif 000012